(57)【特許請求の範囲】
【請求項１】
第１の直流電圧を供給可能な電池部と、
無線通信アンテナと、
前記無線通信アンテナを介して外部の端末に通信データを送信する無線通信モジュールと、
前記無線通信アンテナを介して受信される電磁波から特定の周波数帯域の電磁波を抽出するフィルタ部と、
前記フィルタ部とは独立して、前記無線通信アンテナを介して受信される電磁波を直流電圧に変換する整流部と、
前記整流部から出力される直流電圧で作動し、前記フィルタ部が出力する特定の周波数帯域の電磁波を用いて送信される識別子を復調する復調部と、
前記整流部から出力される直流電圧が所定の電圧値以上で、かつ前記復調部で復調された識別子が所定の識別子である場合に、起動信号を生成して出力する起動部と、
前記起動部から前記起動信号が出力された場合、前記電池部から前記無線通信モジュールに前記第１の直流電圧を供給させるよう制御する制御部と、
を有する
ことを特徴とする無線通信端末。
【発明の詳細な説明】
【技術分野】
【０００１】
本発明は、無線通信端末に関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、端末を自由に持ち歩くことができるようにすることが望ましい。このようなニーズは、医療分野、特に植込み型医療機器ではより大きい。
【０００３】
植込み型医療機器は、一般に電力を電池から得て動作する。従って、電池が消耗し電圧が低下した場合には電池交換が必要となる。植込み型医療機器の電池交換には手術が必要であり、患者への負担が大きく感染症等の副作用も発生するため、電池の消耗は極力避けたいとの要望がある。このような要望に対して、振動や、温度差や、光や、電磁波などから電力を生成する技術の検討が進んでいる。例えば、無線通信技術と、電磁波から電力を生成する技術とを組み合わせた製品の例として、データを送信する無線送信部と、無線送信部とは別に存在する消費電力の小さい無線受信部とを備え、無線受信部で受信した起動信号に基づいて、無線送信部を起動させる非接触ＩＣタグシステムやＩＣカードシステムなどの無線通信システムが知られている（例えば、特許文献１参照）。
【先行技術文献】
【特許文献】
【０００４】
【特許文献１】特開２００９−２０５２０５号公報
【発明の概要】
【発明が解決しようとする課題】
【０００５】
しかしながら、特許文献１に記載の無線通信システムでは、通信時に無線送信部を起動させる無線受信部は、待ち受け時においても小さいとはいえ消費電力が必要となってしまうという問題があった。
【０００６】
本発明は、上記の問題を解決するためになされたものであり、より消費電力を低減しつつ、通信時に無線通信モジュールを起動することができる無線通信端末を提供することを目的とする。
【課題を解決するための手段】
【０００７】
本発明は、第１の直流電圧を供給可能な電池部と、無線通信アンテナと、前記無線通信アンテナを介して外部の端末に通信データを送信する無線通信モジュールと、前記無線通信アンテナを介して受信される電磁波から特定の周波数帯域の電磁波を抽出するフィルタ部と、前記フィルタ部とは独立して、前記無線アンテナを介して受信される電磁波を直流電圧に変換する整流部と、前記整流部から出力される直流電圧で作動し、前記フィルタ部が出力する特定の周波数帯域の電磁波を用いて送信される識別子を復調する復調部と、前記整流部から出力される直流電圧が所定の電圧値以上で、かつ前記復調部で復調された識別子が所定の識別子である場合に、起動信号を生成して出力する起動部と、前記起動部から前記起動信号が出力された場合、前記電池部から前記無線通信モジュールに前記第１の直流電圧を供給させるよう制御する制御部と、を有することを特徴とする無線通信端末である。
【発明の効果】
【００１６】
本発明によれば、起動信号出力部は、無線通信アンテナを介して受信される電磁波を直流電圧に変換するとともに、変換された直流電圧が所定の電圧値以上になった場合に起動信号を生成して出力する。また、制御部は、起動信号出力部から起動信号が出力された場合、電源部から無線通信モジュールに直流電圧を供給させるよう制御する。これにより、直流電圧に変換した際に所定の電圧値以上となる電磁波を受信した場合、電源部から無線通信モジュールに直流電圧が供給されるので、より消費電力を低減しつつ、通信時に無線通信モジュールを起動することができる。
【図面の簡単な説明】
【００１７】
【図１】本発明の第１の実施形態における生体データ監視システムの構成を示した概略図である。
【図２】本発明の第１の実施形態における無線センシング端末の構成を示したブロック図である。
【図３】本発明の第１の実施形態におけるデータ収集端末の構成を示したブロック図である。
【図４】本発明の第１の実施形態における起動信号出力部の構成を示したブロック図である。
【図５】本発明の第２の実施形態における起動信号出力部の構成を示したブロック図である。
【図６】本発明の第３の実施形態におけるデータ収集端末の構成を示したブロック図である。
【図７】本発明の第３の実施形態における起動信号出力部の構成を示したブロック図である。
【図８】本発明の第４の実施形態における起動信号出力部の構成を示したブロック図である。
【図９】本発明の第５の実施形態における起動信号出力部の構成を示したブロック図である。
【図１０】本発明の第６の実施形態における無線センシング端末の構成を示したブロック図である。
【図１１】本発明の第６の実施形態におけるデータ収集端末の構成を示したブロック図である。
【発明を実施するための形態】
【００１８】
（第１の実施形態）
以下、本発明の第１の実施形態について図を参照しながら説明する。図１は、本実施形態における生体データ監視システムの構成を示した概略図である。生体データ監視システム１は、無線センシング端末１０と、データ収集端末２０とを備える。無線センシング端末１０は、各種センサを使って人体表面または体内から血圧、脈拍、心電、心拍、血中酸素濃度、体温、尿糖、血糖等の生体データを取得する。また、無線センシング端末１０は、各種センサを使って無線センシング端末１０が備える各部の状態を示す機器状態データを取得する。また、無線センシング端末１０は、取得した生体データ及び機器状態データをデータ収集端末２０に無線伝送する。データ収集端末２０は、無線センシング端末１０から無線伝送される生体データ及び機器状態データを収集して保存する。なお、無線センシング端末１０は体内に設置される。また、データ収集端末２０は体外に設置される。
【００１９】
なお、本実施形態では、無線センシング端末１０とデータ収集端末２０とが１対１で無線通信を行うものとして説明を行うが、１対Ｎ、Ｍ対１、Ｍ対Ｎのいずれの関係においても、本発明は適用可能である（ＮおよびＭは自然数）。
【００２０】
次に、無線センシング端末１０の構成について説明する。図２は、本実施形態における無線センシング端末１０の構成を示したブロック図である。図示する例では、無線センシング端末１０は、センサ部１１と、保持部１２と、起動信号出力部１３と、制御部１４と、電源部１５と、電源開閉部１６と、無線通信部１７（無線通信モジュール）と、アンテナ１８（無線通信アンテナ）とを備える。
【００２１】
センサ部１１は、人体表面または体内に設置され、血圧、脈拍、心電、心拍、血中酸素濃度、体温、尿糖、血糖等をセンシングして生体データを取得する。また、センサ部１１は、電源部１５の電圧など、無線センシング端末１０が備える各部の状態をセンシングして機器状態データを取得する。以下、センサ部１１が取得する生体データや機器状態データなどを収集データと記載する。また、センサ部１１は、収集データを保持部１２に対して出力する。
【００２２】
保持部１２は、センサ部１１が出力した収集データを取得して保持し、保持した収集データを制御部１４の制御に従って無線通信部１７に対して出力する。起動信号出力部１３は、アンテナ１８を介して、データ収集端末２０から送信される電磁波を受信した場合、受信した電磁波から起動信号を生成する。また、起動信号出力部１３は、起動信号を生成した場合、生成した起動信号を制御部１４に対して出力する。起動信号出力部１３の詳細な構成については後述する。
【００２３】
制御部１４は、起動信号出力部１３から起動信号が入力された場合、保持部１２を制御し、保持部１２が保持している収集データを無線通信部１７に対して出力させる。また、制御部１４は、起動信号出力部１３から起動信号が入力された場合、電源開閉部１６を制御し、電源部１５から無線通信部１７に対して電力を供給させる。また、制御部１４は、無線通信部１７がデータの送信を完了した後、電源開閉部１６を制御し、電源部１５から無線通信部１７への電力の供給を停止させる。
【００２４】
電源部１５は、センサ部１１に電力（直流電力）を供給し、さらに電源開閉部１６の制御に基づいて無線通信部１７に電力を供給する。電源開閉部１６は、制御部１４の制御に従い、電源部１５から無線通信部１７への電力の供給を制御する。無線通信部１７は、電源部１５から電力が供給されると起動する（動作を開始する）。また、無線通信部１７は、アンテナ１８を介して、保持部１２から入力された収集データを、電磁波を用いてデータ収集端末２０に対して送信する。
【００２５】
次に、データ収集端末２０の構成について説明する。図３は、本実施形態におけるデータ収集端末２０の構成を示したブロック図である。図示する例では、データ収集端末２０は、無線通信部２１と、データ処理部２２と、記憶部２３と、表示部２４と、アンテナ２５とを備える。
【００２６】
無線通信部２１は、無線センシング端末１０から収集データの受信を開始する場合、アンテナ２５を介して、無線センシング端末１０に対して、電磁波を用いてデータ要求信号を送信する。なお、無線センシング端末１０に対してデータ要求信号を送信するタイミングは、ユーザからの指示や、所定のタイミングなど、どのようなタイミングとしてもよい。
【００２７】
また、無線通信部２１は、無線センシング端末１０から電磁波を用いて送信された収集データを、アンテナ２５を介して受信し、受信した収集データをデータ処理部２２に対して出力する。データ処理部２２は、無線通信部２１から入力された収集データのデータ形式を記憶用のデータ形式に変換して記憶用データを生成し、生成した記憶用データを記憶部２３に対して出力する。また、データ処理部２２は、無線通信部２１から入力された収集データを文字や画像などの表示データに変換し、変換した表示データを表示部２４に対して出力する。記憶部２３は、データ処理部２２から入力された記憶用データを記憶する。表示部２４は、データ処理部２２から入力された表示データを表示する。この構成により、データ収集端末２０は、無線センシング端末１０から送信された収集データを表示部２４に表示させることができ、記憶部２３に記憶させることができる。
【００２８】
次に、無線センシング端末１０が備える起動信号出力部１３の構成について説明する。図４は、本実施形態における起動信号出力部１３の構成を示したブロック図である。図示する例では、起動信号出力部１３は、整流部１３１と、起動部１３２とを備える。整流部１３１は、アンテナ１８を介して、データ収集端末２０から送信された電磁波を受信する。そして、整流部１３１は、受信した電磁波を整流して直流電圧に変換し、変換した直流電圧を起動部１３２に対して出力する。起動部１３２は、整流部１３１から入力された直流電圧を用いて動作する。また、起動部１３２は、整流部１３１から入力された直流電圧の電圧をモニタし、直流電圧が一定の閾値以上になった場合に起動信号を出力する。これにより、起動信号出力部１３は、データ要求信号を送信するために用いた電磁波をデータ収集端末２０から受信した場合、起動信号を出力する。なお、一定の閾値は、固定値であっても、環境に合わせて任意に設定できるようにしてもよい。
【００２９】
上述したとおり、データ収集端末２０は、無線センシング端末１０から収集データの受信を開始する場合、無線センシング端末１０に対して、電磁波を用いてデータ要求信号を送信する。また、無線センシング端末１０の起動信号出力部１３が備える整流部１３１は、データ要求信号を送信するために用いた電磁波を整流して直流電圧に変換する。また、起動信号出力部１３が備える起動部１３２は、整流部１３１が変換した直流電圧が一定の閾値以上になった場合に起動信号を出力する。また、制御部１４は、起動部１３２が起動信号を出力した場合、保持部１２を制御し、保持部１２が保持している収集データを無線通信部１７に対して出力させる。また、制御部１４は、起動信号出力部１３が起動信号を出力した場合、電源開閉部１６を制御し、電源部１５から無線通信部１７に対して電力を供給させる。また、無線通信部１７は、保持部１２から収集データが入力された場合、電源部１５から供給される電力を用いて、アンテナ１８を介して、電磁波を用いて収集データをデータ収集端末２０に対して送信する。また、制御部１４は、無線通信部１７が収集データの送信を完了した後、電源開閉部１６を制御し、電源部１５から無線通信部１７への電力の供給を停止させる。また、無線通信部１７は、電源部１５からの電力の供給が停止されると動作を停止する。
【００３０】
このように、無線通信端末１０は、データ収集端末２０から送信される、データ要求信号を送信するために用いた電磁波から起動信号を生成する。そして、無線通信端末１０は、生成した起動信号に基づいて無線通信部１７に電力を供給することで無線通信部１７を起動する。従って、無線通信端末１０は、より消費電力を低減しつつ、通信開始時に無線通信部１７を起動することができる。また、無線通信端末１０は、通信開始時に無線通信部１７を起動するため、待ち受け時において消費電力を低減することができ、電源部１５の消耗を抑制することができる。
【００３１】
（第２の実施形態）
次に、本発明の第２の実施形態について図を参照しながら説明する。本実施形態における生体監視システムは、第１の実施形態と同様に、無線センシング端末とデータ収集端末とを備える。本実施形態と第１の実施形態とで異なる点は、無線センシング端末が備える起動信号出力部の構成である。なお、本実施形態における無線センシング端末が備える他の構成は、第１の実施形態における構成と同様である。また、本実施形態におけるデータ収集端末は、第１の実施形態におけるデータ収集端末２０と同様の構成である。
【００３２】
次に、無線センシング端末が備える起動信号出力部の構成について説明する。図５は、本実施形態における起動信号出力部３３の構成を示したブロック図である。図示する例では、起動信号出力部３３は、フィルタ部３３１と、整流部１３１と、起動部１３２とを備える。フィルタ部３３１は、アンテナ１８を介して、外部から送信される電磁波を受信し、受信した電磁波のうち、所定の周波数帯域の電磁波のみを整流部１３１に対して出力する。なお、所定の周波数帯域は、データ収集端末から送信される、データ要求信号を送信するために用いられる電磁波の周波数帯域を含む周波数帯域である。これにより、データ収集端末以外から送信される電磁波が整流部１３１に対して入力されることを制限することができる。
【００３３】
整流部１３１は、フィルタ部３３１から入力される電磁波を整流して直流電圧に変換し、起動部１３２に対して出力する。起動部１３２は、第１の実施形態における起動部１３２と同様である。
【００３４】
上述したように、無線センシング端末の起動信号出力部３３は、フィルタ部３３１を備えることにより、データ要求信号を送信するために用いられる電磁波の周波数帯域外の干渉信号や電磁波などを抑圧した上で、無線通信部１７を起動するための起動信号を出力することができる。従って、無線センシング端末は、データ収集端末が近くに存在しない場合に、データ収集端末以外から送信される干渉信号や電磁波などにより、誤って無線通信部１７を起動してしまうことを防ぐことができ、電池の消耗をより減らすことができる。
【００３５】
（第３の実施形態）
次に、本発明の第３の実施形態について図を参照しながら説明する。本実施形態における生体監視システムは、第１の実施形態と同様に、無線センシング端末とデータ収集端末とを備える。図６は、本実施形態におけるデータ収集端末６０の構成を示したブロック図である。図示する例では、データ収集端末６０は、無線通信部２１と、データ処理部２２と、記憶部２３と、表示部２４と、アンテナ２５と、ＩＤ変調部６１とを備える。
【００３６】
データ処理部２２と、記憶部２３と、表示部２４と、アンテナ２５とは、第１の実施形態における各部と同様である。無線通信部２１は、無線センシング端末から収集データの受信を開始する場合、アンテナ２５を介して、無線センシング端末に対して、電磁波を用いてデータ要求信号を送信し、ＩＤ変調部６１に対して通信開始指示信号を出力する。ＩＤ変調部６１は、無線通信部２１から通信開始指示信号が入力された場合、通信相手である無線センシング端末を一意に特定するＩＤ情報（識別子）を変調し、ＩＤ変調信号を生成する。そして、ＩＤ変調部６１は、アンテナ２５を介して、データ要求信号の送信に用いる電磁波と同じ周波数帯域の電磁波を用いて、無線センシング端末に対してＩＤ変調信号を送信する。
【００３７】
次に、無線センシング端末が備える起動信号出力部の構成について説明する。図７は、本実施形態における起動信号出力部５３の構成を示したブロック図である。図示する例では、起動信号出力部５３は、整流部１３１と、起動部１３２と、ＩＤ復調部５３１（復調部）とを備える。
【００３８】
整流部１３１は、アンテナ１８を介して、データ収集端末６０から送信される、ＩＤ変調信号およびデータ要求信号を送信するために用いられる電磁波を受信する。また、整流部１３１は、受信した電磁波を整流して直流電圧に変換し、起動部１３２とＩＤ復調部５３１とに対して出力する。ＩＤ復調部５３１は、整流部１３１から入力された直流電圧を用いて動作する。また、ＩＤ復調部５３１は、アンテナ１８を介して、データ収集端末６０から送信されたＩＤ変調信号を受信する。また、ＩＤ復調部５３１は、受信したＩＤ変調信号を復調してＩＤ情報を取得する。また、ＩＤ復調部５３１は、予め定められている自端末を一意に特定するＩＤ情報と、取得したＩＤ情報とを照合する。そして、ＩＤ変調部６１は、照合の結果、ＩＤ情報が一致した場合には、一致したことを示すＩＤ一致情報を起動部１３２に対して出力する。なお、ＩＤ変調部６１は、照合の結果、ＩＤ情報が一致しない場合には、ＩＤ一致情報を出力しない。
【００３９】
起動部１３２は、整流部１３１から入力された直流電圧を用いて動作する。また、起動部１３２は、ＩＤ変調部６１からＩＤ一致情報が入力された場合、整流部１３１で変換された直流電圧をモニタする。そして、起動部１３２は、モニタしている直流電圧が一定の閾値以上になった場合に起動信号を出力する。
【００４０】
上述したように、無線センシング端末の起動信号出力部５３は、ＩＤ復調部５３１を備え、受信したＩＤ情報と、自端末を一意に特定するＩＤ情報とが一致した場合にのみＩＤ一致情報を起動部１３２に対して出力する。また、起動部１３２は、ＩＤ復調部５３１からＩＤ一致情報が入力された場合にのみ、整流部１３１で変換された直流電圧をモニタする。そして、起動部１３２は、モニタしている直流電圧が一定の閾値以上になった場合に起動信号を出力する。従って、無線センシング端末は、自端末を一意に特定するＩＤ情報を受信しない場合には無線通信部１７を起動させないため、消費電力をさらに削減することができ、電池の消耗をより抑制することができる。
【００４１】
（第４の実施形態）
次に、本発明の第４の実施形態について図を参照しながら説明する。本実施形態における生体監視システムは、第３の実施形態と同様に、無線センシング端末とデータ収集端末とを備える。本実施形態と第３の実施形態とで異なる点は、無線センシング端末が備える起動信号出力部の構成である。なお、本実施形態における無線センシング端末が備える他の構成は、第３の実施形態における構成と同様である。また、本実施形態におけるデータ収集端末は、第３の実施形態におけるデータ収集端末と同様の構成である。
【００４２】
次に、無線センシング端末が備える起動信号出力部の構成について説明する。図８は、本実施形態における起動信号出力部７３の構成を示したブロック図である。図示する例では、起動信号出力部７３は、フィルタ部３３１と、整流部１３１と、起動部１３２と、ＩＤ復調部５３１とを備える。フィルタ部３３１は、アンテナ１８を介して、外部から送信される電磁波を受信し、受信した電磁波のうち、所定の周波数帯域の電磁波のみを整流部１３１とＩＤ復調部５３１とに対して出力する。なお、所定の周波数帯域は、データ収集端末から送信される、データ要求信号およびＩＤ変調信号を送信するために用いられる電磁波の周波数帯域を含む周波数帯域である。これにより、データ収集端末以外から送信される電磁波が整流部１３１とＩＤ復調部５３１とに対して入力されることを制限することができる。
【００４３】
整流部１３１は、フィルタ部３３１から入力される電磁波を整流して直流電圧に変換し、起動部１３２とＩＤ復調部５３１とに対して出力する。起動部１３２とＩＤ復調部５３１とは、第３の実施形態における各部と同様である。
【００４４】
上述したように、無線センシング端末の起動信号出力部７３は、フィルタ部３３１を備えることにより、データ要求信号およびＩＤ変調信号を送信するために用いられる電磁波の周波数帯域外の干渉信号や電磁波などを抑圧した上で、ＩＤ変調信号を復調することができる。
【００４５】
また、無線センシング端末の起動信号出力部７３は、ＩＤ復調部５３１を備えることにより、受信したＩＤ情報と、自端末を一意に特定するＩＤ情報とが一致した場合にのみＩＤ一致情報を起動部１３２に対して出力する。また、起動部１３２は、ＩＤ復調部５３１からＩＤ一致情報が入力された場合にのみ、整流部１３１で変換された直流電圧をモニタする。そして、起動部１３２は、モニタしている直流電圧が一定の閾値以上になった場合に起動信号を出力する。従って、無線センシング端末は、自端末を一意に特定するＩＤ情報を受信しない場合には無線通信部１７を起動させないため、消費電力をさらに削減することができ、電池の消耗をより抑制することができる。
【００４６】
（第５の実施形態）
次に、本発明の第５の実施形態について図を参照しながら説明する。本実施形態における生体監視システムは、第４の実施形態と同様に、無線センシング端末とデータ収集端末とを備える。本実施形態と第４の実施形態とで異なる点は、起動信号出力部が備えるフィルタ部の位置のみである。なお、本実施形態における無線センシング端末が備える他の構成は、第４の実施形態における構成と同様である。また、本実施形態におけるデータ収集端末は、第４の実施形態におけるデータ収集端末と同様の構成である。
【００４７】
次に、無線センシング端末が備える起動信号出力部の構成について説明する。図９は、本実施形態における起動信号出力部９３の構成を示したブロック図である。図示する例では、起動信号出力部９３は、フィルタ部３３１と、整流部１３１と、起動部１３２と、ＩＤ復調部５３１とを備える。フィルタ部３３１は、アンテナ１８を介して、外部から送信される電磁波を受信し、受信した電磁波のうち、所定の周波数帯域の電磁波のみをＩＤ復調部５３１に対して出力する。なお、所定の周波数帯域は、なお、所定の周波数帯域は、データ収集端末から送信される、データ要求信号およびＩＤ変調信号を送信するために用いられる電磁波の周波数帯域を含む周波数帯域である。これにより、データ収集端末以外から送信される電磁波がＩＤ復調部５３１に対して入力されることを制限することができる。
【００４８】
整流部１３１は、アンテナ１８を介して、データ収集端末から送信された電磁波を受信する。また、整流部１３１は、受信した電磁波を整流して直流電圧に変換し、起動部１３２とＩＤ復調部５３１とに対して出力する。ＩＤ復調部５３１と起動部１３２とは、第４の実施形態における各部と同様である。
【００４９】
上述したように、無線センシング端末の起動信号出力部９３は、フィルタ部３３１を備えることにより、データ要求信号およびＩＤ変調信号を送信するために用いられる電磁波の周波数帯域外の干渉信号や電磁波などを抑圧した上で、ＩＤ変調信号を復調することができる。
【００５０】
また、無線センシング端末の起動信号出力部９３は、ＩＤ復調部５３１を備えることにより、受信したＩＤ情報と、自端末を一意に特定するＩＤ情報とが一致した場合にのみＩＤ一致情報を起動部１３２に対して出力する。また、起動部１３２は、ＩＤ復調部５３１からＩＤ一致情報が入力された場合にのみ、整流部１３１で変換された直流電圧をモニタする。そして、起動部１３２は、モニタしている直流電圧が一定の閾値以上になった場合に起動信号を出力する。従って、無線センシング端末は、自端末を一意に特定するＩＤ情報を受信しない場合には無線通信部１７を起動させないため、消費電力をさらに削減することができ、電池の消耗をより抑制することができる。
【００５１】
また、無線センシング端末の起動信号出力部９３は、アンテナ１８と整流部１３１との間にはフィルタ部３３１を設けていないため、データ収集端末以外から送信される干渉信号や電磁波などを含めた電磁波を整流して直流電圧に変換することができ、より多くの直流電圧を起動部１３２とＩＤ復調部５３１とに供給することができる。
【００５２】
（第６の実施形態）
次に、本発明の第６の実施形態について図を参照しながら説明する。本実施形態における生体監視システムは、第１の実施形態と同様に、無線センシング端末とデータ収集端末とを備える。なお、第１の実施形態〜第５の実施形態では、データ収集端末から無線センシング端末に対して、電磁波を用いてデータ要求信号を送信することで、無線センシング端末の無線通信部を起動させていたが、本実施形態では、無線センシング端末からデータ収集端末に対して、電磁波を用いて収集データを送信することで、データ収集端末の無線通信部を起動させる。
【００５３】
次に、無線センシング端末の構成について説明する。図１０は、本実施形態における無線センシング端末１００の構成を示したブロック図である。図示する例では、無線センシング端末１００は、センサ部１１と、保持部１２と、電源部１５と、無線通信部１７と、アンテナ１８とを備える。
【００５４】
センサ部１１は、第１の実施形態におけるセンサ部１１と同様である。保持部１２は、センサ部１１が出力した収集データを取得して保持し、保持した収集データを無線通信部１７に対して出力する。無線通信部１７は、アンテナ１８を介して、データ収集端末に対して、電磁波を用いて収集データを送信する。なお、無線通信部１７が無線センシング端末に対して収集データを送信するタイミングは、ユーザからの指示や、所定のタイミングなど、どのようなタイミングとしてもよい。
【００５５】
次に、データ収集端末１１０の構成について説明する。図１１は、本実施形態におけるデータ収集端末１１０の構成を示したブロック図である。図示する例では、データ収集端末１１０は、無線通信部２１（無線通信モジュール）と、データ処理部２２と、記憶部２３と、表示部２４と、アンテナ２５（無線通信アンテナ）と、起動信号出力部１１１と、制御部１１２と、電源部１１３と、電源開閉部１１４とを備える。
【００５６】
起動信号出力部１１１は、アンテナ２５を介して、無線センシング端末１００から送信される電磁波を整流して直流電圧に変換する。また、起動信号出力部１１１は、変換した直流電圧が一定の閾値以上になった場合に起動信号を生成し、制御部１１２に対して出力する。制御部１１２は、起動信号出力部１１１から起動信号が入力された場合、電源開閉部１１４を制御し、電源部１１３から無線通信部２１に対して電力を供給させる。また、制御部１１４は、無線通信部２１がデータの受信を完了した後、電源開閉部１１４を制御し、電源部１１３から無線通信部２１への電力の供給を停止させる。
【００５７】
電源部１１３は、電源開閉部１１４の制御に基づいて無線通信部２１に電力を供給する。電源開閉部１１４は、制御部１１２の制御に従い、電源部１１３から無線通信部２１への電力の供給を制御する。無線通信部２１は、電源部１１３から電力が供給されると起動する（動作を開始する）。また、無線通信部２１は、無線センシング端末１００から電磁波を用いて送信される収集データを、アンテナ２５を介して受信する。また、無線通信部２１は、受信した収集データをデータ処理部２２に対して出力する。データ処理部２２と、記憶部２３と、表示部２４とは、第１の実施形態における各部と同様である。
【００５８】
上述したとおり、データ収集端末１１０の起動信号出力部１１１は、データ収集端末１００から送信された電磁波を整流して直流電圧に変換する。また、起動信号出力部１１１は、変換した直流電圧が一定の閾値以上になった場合に起動信号を出力する。また、制御部１１２は、起動信号生成部１１１が起動信号を出力した場合、電源開閉部１１４を制御し、電源部１１３から無線通信部２１に対して電力を供給させる。また、無線通信部２１は、電源部１１３から電力が供給されると起動する（動作を開始する）。また、無線通信部２１は、電源部１１３から供給される電力を用いて、無線センシング端末１００から送信される収集データを受信する。また、制御部１１２は、無線通信部２１が収集データの受信を完了した後、電源部１１３から無線通信部２１への電力の供給を停止させる。また、無線通信部２１は、電源部１１３からの電力の供給が停止されると動作を停止する。
【００５９】
このように、データ収集端末１１０は、無線センシング端末１００から送信される、収集データを送信するために用いる電磁波から起動信号を生成する。そして、データ収集端末１１０は、生成した起動信号に基づいて無線通信部２１に電力を供給することで無線通信部２１を起動する。従って、データ収集端末１１０は、より消費電力を低減しつつ、通信開始時に無線通信部２１を起動することができる。また、データ収集端末１１０は、通信開始時に無線通信部２１を起動するため、待ち受け時において消費電力を低減することができ、電源部１１３の消耗を抑制することができる。
【００６０】
以上、この発明の第１〜第６の実施形態について図面を参照して詳述してきたが、具体的な構成はこの実施形態に限られるものではなく、この発明の要旨を逸脱しない範囲の設計等も含まれる。例えば、第１〜第６の実施形態においては、無線センシング端末とデータ収集端末とが１対１で無線通信を行うものとして説明したが、１対Ｎ、Ｍ対１、Ｍ対Ｎのいずれの関係であっても本発明を適用することができる（ＮおよびＭは自然数）。
【符号の説明】
【００６１】
１・・・生体データ監視システム、１０，１００・・・無線センシング端末、１１・・・センサ部、１２・・・保持部、１３，３３，５３，７３，９３，１１１・・・起動信号出力部、１４，１１２・・・制御部、１５，１１３・・・電源部、１６，１１４・・・電源開閉部、１７，２１・・・無線通信部、１８，２５・・・アンテナ、２０，６０，１１０・・・データ収集端末、２２・・・データ処理部、２３・・・記憶部、２４・・・表示部、６１・・・ＩＤ変調部、１３１・・・整流部、１３２・・・起動部、３３１・・・フィルタ部、５３１・・・ＩＤ復調部
【図１】
0006027726.tif 000002
【図２】
0006027726.tif 000003
【図３】
0006027726.tif 000004
【図４】
0006027726.tif 000005
【図５】
0006027726.tif 000006
【図６】
0006027726.tif 000007
【図７】
0006027726.tif 000008
【図８】
0006027726.tif 000009
【図９】
0006027726.tif 000010
【図１０】
0006027726.tif 000011
【図１１】
0006027726.tif 000012